(57)【要約】      （修正有）【課題】表示内容が他者に見られるのを好適に抑制することが可能な端末装置、サーバ、表示システム及びプログラムを提供する。【解決手段】端末装置１の傾き角度θが角度θｔｈ以上の状態で保持され、入力者以外の者にディスプレイの表示画面が覗き見されやすい状態になっている場合に、端末装置１の傾き判定手段は、傾きセンサ１０４の出力に基づき、傾き角θが角度θｔｈ以上であると判定し、表示制御手段は覗き見防止画面をディスプレイに表示させる。傾き角度がθｔｈ未満の状態で、操作者以外の者がディスプレイの表示画面を覗き見しにくい状態になっている場合には、傾き判定手段は傾きセンサ１０４の出力に基づき、傾き角度がθｔｈ未満であると判定し、表示制御手段が入力画面をディスプレイに表示する。【選択図】図７
2014033338.tif 000002
【特許請求の範囲】
【請求項１】
表示手段と、
前記表示手段の傾き角を検出する検出手段と、
前記検出手段が検出した傾き角に基づき、前記表示手段の表示内容の制限又は切り替えを行う表示制御手段と
を有することを特徴とする端末装置。
【請求項２】
前記表示制御手段は、
前記傾き角が前記表示手段の表示内容の制限又は切り替えを行うべき角度の場合には、前記傾き角が大きい旨又は／及び前記傾き角を小さくすべき旨を前記表示手段に表示させることを特徴とする請求項１に記載の端末装置。
【請求項３】
近接距離での無線通信を行う通信シートの通信可能範囲内で通信を行う通信手段と、
前記通信手段が前記通信シートの通信可能範囲に存在するか否かの判定を行う通信可能判定手段とをさらに備え、
前記表示制御手段は、前記通信手段が前記通信シートの通信可能範囲外に存在すると前記通信可能判定手段が判定した場合、前記表示手段の表示内容の制限又は切り替えを行うことを特徴とする請求項１または２に記載の端末装置。
【請求項４】
前記表示制御手段は、
前記通信手段が前記通信シートの通信可能範囲内に存在する場合には、通信圏内である旨を前記表示手段に表示させ、
前記通信手段が前記通信シートの通信可能範囲外に存在する場合には、通信圏外である旨を前記表示手段に表示させることを特徴とする請求項３に記載の端末装置。
【請求項５】
前記表示制御手段は、入力を受け付ける入力画面を前記表示手段に表示させ、かつ、前記傾き角が前記表示手段の表示内容の制限又は切り替えを行うべき角度の場合に、前記入力画面に入力された入力情報の表示を制限することを特徴とする請求項１乃至４のいずれか一項に記載の端末装置。
【請求項６】
表示手段を有する端末装置に対して前記表示手段に表示させる表示情報を送信するサーバであって、
前記表示手段の傾き角の情報を前記端末装置から受信し、当該傾き角に基づき、前記表示手段の表示内容の制限又は切り替えを行う旨を指示する信号を前記端末装置に送信する送信制御手段
を有することを特徴とするサーバ。
【請求項７】
請求項６に記載のサーバと、
表示手段を有し、前記サーバから前記表示手段に表示させる表示情報を受信する端末装置とを有する表示システムであって、
前記端末装置は、
前記表示手段の傾き角を検出する検出手段と、
前記検出手段が検出した傾き角の情報を、前記サーバへ送信する送信制御手段と
を有することを特徴とする表示システム。
【請求項８】
請求項１乃至５及び７のうちいずれか一項に記載の端末装置として機能させることを特徴とするプログラム。
【請求項９】
請求項６に記載のサーバとして機能させることを特徴とするプログラム。
【発明の詳細な説明】
【技術分野】
【０００１】
本発明は、端末装置の表示を制御する技術に関する。
【背景技術】
【０００２】
従来から、申込みを端末への入力に基づき電子的に行うことが可能なシステムが提案されている。例えば、特許文献１には、複数の金融会社と同時にローンの契約交渉を行うことが可能なローン契約システムが開示されている。また、特許文献２には、遠隔会議システムにおいて、遠隔側端末から受信した遠隔操作コマンドを受信した場合に、会議側端末の向きを変更する端末設置台が開示されている。また、非特許文献１及び特許文献３には、所謂二次元通信が可能な通信シートが開示されている。
【先行技術文献】
【特許文献】
【０００３】
【特許文献１】特開２００６−２５９９０５号公報
【特許文献２】特開２０１２−００４７７８号公報
【特許文献３】国際公開第２００７／０３２０４９号
【非特許文献】
【０００４】
【非特許文献１】”二次元通信＠ＣＥＬＬ技術資料＃１基本原理”、［平成２４年７月２日検索］、インターネット〈ＵＲＬ：http://www.cellcross.co.jp/pdf_doc/technical/td_1_principle.pdf〉
【発明の概要】
【発明が解決しようとする課題】
【０００５】
申し込みの手続きを店内などに設置された端末上で電子的に行う場合、入力する情報は入力者以外が見えないようにするのが好ましい。一方、端末が設置される角度や場所によっては、入力者の背後の通行人等によって入力内容が容易に見られてしまう場合がある。電子コンテンツを端末で視聴している場合も同様に、背後の通行人等には容易に見えないようにするのが好ましい場合がある。そこで、本発明は、表示内容が他者に見られるのを好適に抑制することが可能な端末装置、サーバ、表示システム及びプログラムを提供することを主な目的とする。
【課題を解決するための手段】
【０００６】
本発明に係る端末装置は、表示手段と、前記表示手段の傾き角を検出する検出手段と、前記検出手段が検出した傾き角に基づき、前記表示手段の表示内容の制限又は切り替えを行う表示制御手段とを有する。
【０００７】
上記の端末装置は、表示手段と、検出手段と、表示制御手段とを有する。検出手段は、表示手段の傾き角を検出する。表示制御手段は、検出手段が検出した傾き角に基づき、表示手段の表示内容の制限又は切り替えを行う。これにより、端末装置は、表示手段による表示が他者に容易に見られ易い状態の場合に、好適に表示内容の制限又は切り替えを行い、他者に見られたくない表示を視認されるのを防ぐことができる。
【０００８】
上記端末装置の一態様では、前記表示制御手段は、前記傾き角が前記表示手段の表示内容の制限又は切り替えを行うべき角度の場合には、前記傾き角が大きい旨又は／及び前記傾き角を小さくすべき旨を前記表示手段に表示させる。このようにすることで、端末装置は、他者に表示内容が見られ易い表示手段の傾き角であることを操作者に認識させ、当該傾き角を他者に表示内容が見られにくい角度に修正させることができる。
【０００９】
上記端末装置の他の一態様では、近接距離での無線通信を行う通信シートの通信可能範囲内で通信を行う通信手段と、前記通信手段が前記通信シートの通信可能範囲に存在するか否かの判定を行う通信可能判定手段とをさらに備え、前記表示制御手段は、前記通信手段が前記通信シートの通信可能範囲外に存在すると前記通信可能判定手段が判定した場合、前記表示手段の表示内容の制限又は切り替えを行う。このようにすることで、端末装置は、所定の表示内容を表示させることが可能なエリアを好適に制限することができる。
【００１０】
上記端末装置の他の一態様では、前記表示制御手段は、前記通信手段が前記通信シートの通信可能範囲内に存在する場合には、通信圏内である旨を前記表示手段に表示させ、前記通信手段が前記通信シートの通信可能範囲外に存在する場合には、通信圏外である旨を前記表示手段に表示させる。この態様により、端末装置は、通信圏内であるか否かを好適にユーザに認識させることができる。
【００１１】
上記端末装置の他の一態様では、前記表示制御手段は、入力を受け付ける入力画面を前記表示手段に表示させ、かつ、前記傾き角が前記表示手段の表示内容の制限又は切り替えを行うべき角度の場合に、前記入力画面に入力された入力情報の表示を制限する。この態様により、端末装置は、他者に見られる可能性がある表示手段の傾き角で入力情報を表示するのを好適に抑制し、入力者の情報を好適に保護することができる。
【００１２】
本発明に係るサーバの一態様では、表示手段を有する端末装置に対して前記表示手段に表示させる表示情報を送信するサーバであって、前記表示手段の傾き角の情報を前記端末装置から受信し、当該傾き角に基づき、前記表示手段の表示内容の制限又は切り替えを行う旨を指示する信号を前記端末装置に送信する送信制御手段を有する。
【００１３】
上記サーバは、表示手段を有する端末装置に対して表示手段に表示させる表示情報を送信する。そして、サーバは、表示手段の傾き角の情報を端末装置から受信し、当該傾き角に基づき、表示手段の表示内容の制限又は切り替えを行う旨を指示する信号を端末装置に送信する。これにより、サーバは、端末装置の表示手段による表示が他者に容易に見られ易い状態の場合に、好適に表示内容の制限又は切り替えを端末装置に実行させることができ、端末装置の操作者以外の者に表示内容を視認されるのを防ぐことができる。
【００１４】
本発明に係る表示システムの一態様では、上記記載のサーバと、表示手段を有し、前記サーバから前記表示手段に表示させる表示情報を受信する端末装置とを有する表示システムであって、前記端末装置は、前記表示手段の傾き角を検出する検出手段と、前記検出手段が検出した傾き角の情報を、前記サーバへ送信する送信制御手段とを有する。この態様により、表示システムは、端末装置の表示手段による表示が他者に容易に見られ易い状態の場合に、好適に表示内容の制限又は切り替えを端末装置に実行させることができ、端末装置の操作者以外の者に表示内容を視認されるのを防ぐことができる。
【００１５】
本発明に係るプログラムは、上記記載のいずれか一つの端末装置又はサーバとして機能させる。これらのプログラムを端末装置又はサーバにインストールして機能させることで、本発明に係る端末装置又はサーバを構成させることができる。
【発明の効果】
【００１６】
本発明によれば、端末装置は、表示手段の傾き角に基づき、表示手段の表示内容の制限又は切り替えを行う。これにより、端末装置は、表示手段による表示が他者に容易に見られ易い状態の場合に、好適に表示内容の制限又は切り替えを行い、他者に見られたくない表示を他者に視認されるのを防ぐことができる。
【図面の簡単な説明】
【００１７】
【図１】第１実施形態に係る申込システムの構成を示す。
【図２】端末装置の正面図及び側面図を示す。
【図３】端末装置の機能ブロック図である。
【図４】端末用スタンドの側面図を示す。
【図５】（Ａ）傾き角を大きく設定した場合の端末用スタンドを示す。（Ｂ）傾き角を小さく設定した場合の端末用スタンドを示す。
【図６】サーバの機能ブロック図である。
【図７】傾き角を大きく設定した状態における端末装置を示す。
【図８】傾き角を小さく設定した状態における端末装置を示す。
【図９】初期画面が表示された端末装置の正面図である。
【図１０】個人情報入力画面が表示された端末装置の正面図を示す。
【図１１】覗き見防止画面が表示された端末装置の正面図を示す。
【図１２】第１実施形態において端末装置が実行する処理手順を示すフローチャートである。
【図１３】変形例における覗き見防止画面が表示された端末装置の正面図である。
【図１４】第２実施形態に係る申込システムの構成を示す。
【図１５】第２実施形態に係る端末装置の正面図及び側面図を示す。
【図１６】第２実施形態に係る端末装置の機能ブロック図である。
【図１７】第２実施形態において、傾き角θを大きく設定した状態で端末装置を保持した端末用スタンドを示す。
【図１８】第２実施形態において、傾き角θを小さく設定した状態で端末装置を保持した端末用スタンドを示す。
【図１９】無線通信アンテナの通信可否と傾き角とに基づく個人情報入力画面の表示の可否を示すマップである。
【図２０】第２実施形態において端末装置が実行する処理手順を示すフローチャートである。
【図２１】端末装置が通信圏外に存在するときに覗き見防止画面が表示された端末装置の正面図である。
【発明を実施するための形態】
【００１８】
以下、図面を参照しながら、本発明を実施するのに好適な実施形態について説明する。以下に説明する申込システムは、ポイントカードの申し込みを店内などに設置された端末上で受け付けるシステムであって、他人に見られ易い状態で端末装置へ個人情報の入力を行っている場合に、端末装置への入力情報を非表示にして入力者の情報を保護する。
【００１９】
＜第１実施形態＞
［申込システムの構成］
図１は、第１実施形態に係る申込システムの構成を示す。図１に示すように、申込システムは、ポイントカードの受付画面を表示して所定の個人情報の入力を受け付ける端末装置１と、端末装置１を保持する端末用スタンド２と、サーバ６とを備える。端末装置１及びサーバ６は、ＬＡＮケーブル８Ａ、８Ｂ及びネットワークハブ７を介して同一のＬＡＮ内において接続する。図１に示す申込システムは、本発明における「表示システム」の一例である。以下、各構成要素について説明する。
【００２０】
（端末装置）
まず、端末装置１について説明する。図２は、端末装置１の正面図及び側面図を示す。図２に示すように、端末装置１は、例えばｉＰａｄ（登録商標）などのタブレットＰＣであって、ディスプレイ１０１と、電源スイッチ１０２と、傾きセンサ１０４とを有する。
【００２１】
ディスプレイ１０１は、タッチパネル１０５が積層されたディスプレイであって、ポイントカードの申し込みに必要な個人情報の入力画面（「個人情報入力画面」とも呼ぶ。）を表示して入力を受け付ける。本実施形態では、ディスプレイ１０１は、個人情報入力画面として、ポイントカードの申込みを行うための入力画面を表示する。電源スイッチ１０２は、端末装置１の電源のオン及びオフを切り替えるスイッチである。傾きセンサ１０４は、例えば３軸加速度センサなどであり、水平方向に対して端末装置１のディスプレイ１０１がなす角（「傾き角θ」とも呼ぶ。）を検出する。
【００２２】
図３は、端末装置１の機能ブロック図である。図３に示すように、端末装置１は、機能的には、電源スイッチ１０２やディスプレイ１０１に積層されたタッチパネル１０５などの入力手段１１、端末装置１とのデータ通信が可能な通信装置などの通信手段１２、記憶手段１３、処理手段１４、ディスプレイ１０１などの表示手段１６と、傾きセンサ１０４などの検出手段１７等により構成される。
【００２３】
処理手段１４は、ＣＰＵ等のプロセッサによって構成され、端末装置１の全体の制御を行う。処理手段１４は、傾き判定手段１４１と、表示制御手段１４２とを備える。
【００２４】
傾き判定手段１４１は、傾きセンサ１０４が検出した傾き角θが所定角度（「角度θｔｈ」とも呼ぶ。）以上となるか否かを判定する。ここで、上述の角度θｔｈは、端末装置１の操作者以外の者がディスプレイ１０１の表示内容を容易に覗き見することが可能か否かについての傾き角θの閾値に設定される。即ち、角度θｔｈは、ディスプレイ１０１が入力者以外の者に覗き見されやすい状態では傾き角θが角度θｔｈ以上となり、ディスプレイ１０１が覗き見されにくい状態では傾き角θが角度θｔｈ未満となるように設定される。
【００２５】
表示制御手段１４２は、通信手段１２を介してサーバ６から受信した表示情報に基づき、所定の画面をディスプレイ１０１に表示させる。具体的には、表示制御手段１４２は、傾き角θが角度θｔｈ未満の場合には、サーバ６から受信した表示情報に基づき、ディスプレイ１０１に個人情報入力画面を表示させる。そして、表示制御手段１４２は、傾き角θが角度θｔｈ以上の場合には、個人情報入力画面での入力内容が通行人などの他者に視認されるのを防止するための表示画面（「覗き見防止画面」とも呼ぶ。）をディスプレイ１０１に表示させる。このディスプレイ１０１の表示制御については、［表示画面例］のセクションで詳しく説明する。
【００２６】
記憶手段１３は、ＲＯＭやＲＡＭといったメモリによって構成される。例えば、記憶手段１３は、個人情報入力画面での入力により生成された入力情報を、サーバ６へ送信するまで、一時的に記憶する。
【００２７】
（端末用スタンド）
次に、端末用スタンド（設置台）２について説明する。図４は、端末用スタンド２の側面図である。図４に示すように、端末用スタンド２は、端末保持部２０と、略円盤状の土台部２１と、第１〜第３アーム２２Ａ〜２２Ｃと、第１、第２回動支持部２３Ａ、２３Ｂとを有する。
【００２８】
端末保持部２０は、端末装置１が載置された場合に端末装置１を背面及び底面から支持する。第１アーム２２Ａは、土台部２１から略垂直に延出し、延出した端部には第１回動支持部２３Ａが設けられる。第１回動支持部２３Ａは、第２アーム２２Ｂを、矢印が示す方向に回動可能に支持する。第１回動支持部２３Ａによって支持されていない側の第２アーム２２Ｂの端には、第２回動支持部２３Ｂが設けられる。第２回動支持部２３Ｂは、第３アーム２２Ｃを矢印が示す方向に回動可能に支持する。そして、第３アーム２２Ｃは、端末保持部２０と略垂直に接続する。
【００２９】
このように、端末用スタンド２は、第１回動支持部２３Ａでの第２アーム２２Ｂの第１アーム２２Ａに対する角度及び第２回動支持部２３Ｂでの第３アーム２２Ｃの第２アーム２２Ｂに対する角度がそれぞれ調整可能に構成される。これにより、端末用スタンド２は、端末保持部２０の角度や高さを変更することができる。これについて、図５を参照して説明する。
【００３０】
図５（Ａ）は、端末保持部２０が土台部２１に対してなす角度を大きく設定した場合の端末用スタンド２を示し、図５（Ｂ）は、端末保持部２０が土台部２１に対してなす角度を小さく設定した場合の端末用スタンド２を示す。なお、以後では、土台部２１は、水平面に設置されるものとし、端末保持部２０が土台部２１に対してなす角度は、端末用スタンド２に保持される端末装置１の傾き角θに等しいものとする。
【００３１】
図５（Ａ）に示すように、第１アーム２２Ａと第２アーム２２Ｂとを略同一直線上にして第３アーム２２Ｃを第２アーム２２Ｂに対して略垂直にした場合、端末保持部２０が土台部２１に対してなす角度は、大きくなる。一方、図５（Ａ）の状態から、第２アーム２２Ｂを第１アーム２２Ａに対して右回りに回動させた場合、端末用スタンド２は図５（Ｂ）の状態となり、端末保持部２０が土台部２１に対してなす角度は小さくなる。また、図５（Ｂ）の状態から、第２アーム２２Ｂをさらに右回りに回動させ、かつ、第３アーム２２Ｃを左回りに回動させた場合、端末保持部２０は、端末保持部２０が土台部２１に対してなす角度を保ったまま土台部２１に対する高さが低くなる。このように、端末用スタンド２は、端末装置１を保持しつつ、傾き角θや土台部２１に対する端末装置１の高さを好適に変更することができる。
【００３２】
（サーバ）
次に、サーバ６について説明する。サーバ６は、ハードウェアとして、データ通信が可能な通信装置、ＣＰＵ等のプロセッサ、ＲＯＭやＲＡＭといったメモリなどを備える。図６は、サーバ６の機能ブロック図である。図６に示すように、サーバ６は、機能的には、通信手段６２、記憶手段６３、及び処理手段６４等により構成される。
【００３３】
通信手段６２は、処理手段６４の制御に基づき、端末装置１とＬＡＮを介した通信を行う。記憶手段６３は、ＲＯＭやＲＡＭといったメモリによって構成され、端末装置１に表示させる各画面の表示情報を記憶する。また、記憶手段６３は、処理手段６４の制御に基づき、端末装置１から送信された個人情報入力画面での入力情報を記憶する。
【００３４】
処理手段６４は、送信制御手段６４１と、記憶制御手段６４２とを有する。送信制御手段６４１は、端末装置１の要求に応じて個人情報入力画面などの各画面の表示情報を通信手段６２により端末装置１へ送信する。記憶制御手段６４２は、個人情報入力画面で入力された入力情報を通信手段６２が受信した場合に、当該入力情報を記憶手段６３に記憶させる。
【００３５】
［傾き角に基づく表示切替］
次に、傾き角θに基づく表示画面の切り替えについて、図７及び図８を参照して説明する。
【００３６】
図７は、傾き角θを角度θｔｈ以上に設定した状態で端末装置１を保持した端末用スタンド２を示す。図８は、傾き角θを角度θｔｈ未満に設定した状態で端末装置１を保持した端末用スタンド２を示す。
【００３７】
図７の例では、端末装置１は、傾き角θが角度θｔｈ以上の状態で保持され、入力者以外の者にディスプレイ１０１の表示画面が覗き見されやすい状態になっている。この場合、端末装置１の傾き判定手段１４１は、傾きセンサ１０４の出力に基づき、傾き角θが角度θｔｈ以上であると判定する。そして、端末装置１の表示制御手段１４２は、覗き見防止画面をディスプレイ１０１に表示させる。覗き見防止画面については、［表示画面例］のセクションで詳しく説明する。
【００３８】
一方、図８の例では、端末装置１は、傾き角θが角度θｔｈ未満の状態で保持され、操作者以外の者がディスプレイ１０１の表示画面を覗き見しにくい状態になっている。この場合、端末装置１の傾き判定手段１４１は、傾きセンサ１０４の出力に基づき、傾き角θが角度θｔｈ未満であると判定する。この場合、後述するように、表示制御手段１４２は、個人情報入力画面をディスプレイ１０１に表示させる。
【００３９】
［表示画面例］
次に、表示制御手段１４２がディスプレイ１０１に表示させる表示画面について説明する。
【００４０】
（１）初期画面
図９は、端末装置１に操作がなされていない初期状態の場合に表示される画面（「初期画面」とも呼ぶ。）を表示した端末装置１の正面図を示す。図９に示すように、初期状態では、表示制御手段１４２は、傾き角θが角度θｔｈ以上であるか否かに関わらず、ポイントカードの申し込みを受け付けている旨の広告画面を、初期画面としてディスプレイ１０１に表示させる。この場合、好適には、傾き角θは、角度θｔｈ以上に設定されるとよい。これにより、端末装置１は、ポイントカードの受付を行っている旨を通行人などに見やすい態様で表示することができる。なお、表示制御手段１４２は、初期画面をディスプレイ１０１に表示させる場合、初期画面の表示情報を予め記憶した記憶手段１３から当該表示情報を取得してもよく、ブラウザの起動時にサーバ６から初期画面の表示情報を受信してもよい。
【００４１】
（２）個人情報入力画面
図１０は、個人情報入力画面が表示された端末装置１の正面図を示す。表示制御手段１４２は、図９に示す初期画面を表示した状態で、例えばタッチパネル１０５への押下などの所定の操作を検知した場合に、初期画面から個人情報入力画面にディスプレイ１０１の表示を切り替える。なお、表示制御手段１４２は、個人情報入力画面をディスプレイ１０１に表示させる場合、個人情報入力画面の表示情報を予め記憶した記憶手段１３から当該表示情報を取得してもよく、上述の切り替えのタイミングでサーバ６から表示情報を受信してもよい。
【００４２】
図１０に示す個人情報入力画面には、傾き角θが角度θｔｈ未満であることを示す傾き小マーク４１と、個人情報を入力するための入力欄４２〜４４と、キャンセルボタン４５と、登録ボタン４６とが表示されている。
【００４３】
このように、表示制御手段１４２は、傾き角θが角度θｔｈ未満となる個人情報入力画面の表示時には、傾き角θが角度θｔｈ未満であることを示す傾き小マーク４１を画面右上に表示する。これにより、表示制御手段１４２は、操作者以外の者がディスプレイ１０１の表示画面を覗き見しにくい傾き角θとなっていることを好適に操作者に視認させる。
【００４４】
また、表示制御手段１４２は、入力欄４２〜４４が指先又はスタイラスなどによるタッチパネル１０５への操作により選択された場合、ソフトウェアキーボードなどを表示し、選択された入力欄への入力を受け付ける。図１０では、入力欄４２には「大日本」が入力されると共に、入力欄４３に「太郎」が既に入力されている。そして、表示制御手段１４２は、各入力欄４２〜４４への入力により生成された入力情報を、記憶手段１３に記憶させる。
【００４５】
そして、表示制御手段１４２は、キャンセルボタン４５が選択された場合、入力欄４２〜４４への入力を示す入力情報を破棄してポイントカードの申し込み手続きを中止する。この場合、表示制御手段１４２は、ポイントカードの申し込み手続きを中止する旨の情報をサーバ６へ送信する。一方、表示制御手段１４２は、登録ボタン４６が選択された場合、入力欄４２〜４４への入力を示す入力情報をサーバ６に送信し、ポイントカードの申し込みを完了させる。
【００４６】
（３）覗き見防止画面
図１１は、覗き見防止画面が表示された端末装置１の正面図を示す。表示制御手段１４２は、傾き角θが角度θｔｈ以上であると傾き判定手段１４１が判定した場合、図１１に示す覗き見防止画面をディスプレイ１０１に表示させる。なお、表示制御手段１４２は、個人情報入力画面をディスプレイ１０１に表示させる場合、個人情報入力画面の表示情報を予め記憶した記憶手段１３から当該表示情報を取得してもよく、上述の切り替えのタイミングでサーバ６から表示情報を受信してもよい。
【００４７】
図１１に示すように、表示制御手段１４２は、覗き見防止画面では、覗き見防止の注意喚起の文章をディスプレイ１０１に表示させる。これにより、表示制御手段１４２は、端末装置１を寝かせるように傾けて傾き角θを小さくする操作をユーザに促す。
【００４８】
また、表示制御手段１４２は、傾き角θが角度θｔｈ以上であることを示す傾き大マーク４７を画面右上に表示する。これにより、表示制御手段１４２は、操作者以外の者がディスプレイ１０１の表示画面を覗き見しやすい傾き角θとなっていることを好適に操作者に視認させる。
【００４９】
さらに、表示制御手段１４２は、申込やめるボタン４８をディスプレイ１０１に表示させる。そして、表示制御手段１４２は、申込やめるボタン４８が選択された場合、個人情報入力画面での入力内容を破棄してポイントカードの申し込み手続きを中止する。
【００５０】
［処理フロー］
次に、端末装置１が実行する処理フローについて説明する。図１２は、端末装置１が実行する処理手順を示すフローチャートである。端末装置１は、図１２に示す処理フローを、例えば図９に示す初期画面を表示中に所定の操作を検出した場合に実行する。
【００５１】
まず、端末装置１の表示制御手段１４２は、図９に示す初期画面を表示中に所定の操作を検出した場合、個人情報入力画面を表示し、入力の受け付けを行う（ステップＳ１０１）。具体的には、この場合、表示制御手段１４２は、図１０に示すポイントカードの申し込みに必要な入力欄４２〜４４を含む個人情報入力画面をディスプレイ１０１に表示させる。また、表示制御手段１４２は、入力欄４２〜４４に入力された入力情報を、各記入欄４２〜４４に対応付けて記憶手段１３に記憶させる。
【００５２】
次に、表示制御手段１４２は、個人情報入力画面の登録ボタン４６が選択されたか否か判定する（ステップＳ１０２）。そして、登録ボタン４６が選択された場合（ステップＳ１０２；Ｙｅｓ）、表示制御手段１４２は、入力欄４２〜４４に入力された入力情報をサーバ６へ送信する（ステップＳ１０３）。そして、サーバ６の記憶制御手段６４２は、通信手段６２が受信した入力情報を、記憶手段６３に記憶させる。その後、端末装置１の表示制御手段１４２は、例えば図９に示す初期画面をディスプレイ１０１に表示させる。
【００５３】
一方、登録ボタン４６が選択されていない場合（ステップＳ１０２；Ｎｏ）、表示制御手段１４２は、キャンセルボタン４５が選択されたか否か判定する（ステップＳ１０４）。そして、キャンセルボタン４５が選択された場合（ステップＳ１０４；Ｙｅｓ）、表示制御手段１４２は、キャンセルされた旨をサーバ６に通知すると共に、記憶手段１３に記憶させた入力情報を削除する（ステップＳ１０５）。その後、端末装置１の表示制御手段１４２は、例えば図９に示す初期画面をディスプレイ１０１に表示させる。
【００５４】
一方、キャンセルボタン４５が選択されていない場合（ステップＳ１０４；Ｎｏ）、傾き判定手段１４１は、傾き角θが角度θｔｈ以上であるか否か判定する（ステップＳ１０６）。そして、傾き角θが角度θｔｈ未満である場合（ステップＳ１０６；Ｎｏ）、表示制御手段１４２は、今までに入力された入力情報を反映した個人情報入力画面を引き続き表示し、入力欄４２〜４４への入力を受け付ける（ステップＳ１１０）。
【００５５】
一方、傾き角θが角度θｔｈ以上である場合（ステップＳ１０６；Ｙｅｓ）、表示制御手段１４２は、図１１に示す覗き見防止画面をディスプレイ１０１に表示させる（ステップＳ１０７）。これにより、表示制御手段１４２は、個人情報入力画面での入力内容が覗き見されることを抑制すると共に、端末装置１の傾き角θを変えるように促す。
【００５６】
次に、表示制御手段１４２は、申込やめるボタン４８が選択されたか否か判定する（ステップＳ１０８）。そして、申込やめるボタン４８が選択された場合（ステップＳ１０８；Ｙｅｓ）、処理手段１４は、申込みがキャンセルされた旨をサーバ６へ通知し、キャンセルされた申込みに関する入力情報を記憶手段１３から削除する（ステップＳ１０９）。この場合、サーバ６の記憶制御手段６４２は、キャンセルされた申込みについて、端末装置１から受信している入力情報が既に存在する場合には、当該入力情報を記憶手段６３から削除する。
【００５７】
一方、申込やめるボタン４８が選択されていない場合（ステップＳ１０８；Ｎｏ）、傾き判定手段１４１は、傾き角θが角度θｔｈ以上であるか否か判定する（ステップＳ１０６）。そして、傾き角θが角度θｔｈ未満となった場合（ステップＳ１０６；Ｎｏ）、表示制御手段１４２は、記憶手段１３に記憶させた入力情報を反映した個人情報入力画面を表示し、入力欄４２〜４４への入力を受け付ける（ステップＳ１１０）。即ち、表示制御手段１４２は、記憶手段１３が記憶している入力情報に基づき、ステップＳ１０７で覗き見防止画面に切り替える直前の個人情報入力画面を再表示する。この場合、ユーザは、覗き見防止画面に切り替わる前に記入した内容を再度個人情報入力画面で入力する必要がない。
【００５８】
［第１実施形態の申込システムによる作用効果］
第１実施形態の申込システムによれば、端末装置１は、端末用スタンド２に保持され、傾き角θが角度θｔｈ以上の場合には、個人情報入力画面を表示せずに覗き見防止画面を表示する。これにより、端末装置は、他者に見られる可能性がある状態で個人情報入力画面を表示するのを好適に抑制し、入力者の情報を好適に保護することができる。
【００５９】
また、端末装置１は、覗き見防止画面では、傾き角θが大きい旨を示す傾き大マーク４７と、端末装置１の傾き角θを小さくすべき旨の文章とを表示する。このようにすることで、端末装置は、現在の傾き角θが他者に表示内容が見られ易い傾き角θであることを操作者に認識させ、傾き角θを他者に表示内容が見られにくい角度に修正させることができる。
【００６０】
［変形例］
次に、本実施形態の変形例について説明する。以下の変形例は、任意に組み合わせて上述の実施形態に適用してもよい。
【００６１】
（変形例１）
端末装置１の表示制御手段１４２は、覗き見防止画面として、個人情報入力画面の表示を一部変更した画面をディスプレイ１０１に表示させてもよい。これについて、図１３を参照して説明する。
【００６２】
図１３は、本変形例における覗き見防止画面が表示された端末装置１の正面図である。図１３では、表示制御手段１４２は、図１０に示す個人情報入力画面で表示された入力欄４２〜４４を、入力内容が視認できない態様で塗りつぶして表示している。また、表示制御手段１４２は、図１１に示す覗き見防止画面と同様、傾き大マーク４７及び申込やめるボタン４８を表示する。
【００６３】
このように、本変形例では、表示制御手段１４２は、傾き角θが角度θｔｈ以上の場合、個人情報入力画面の表示を原則的に維持しつつ、入力欄４２〜４４を入力内容が視認できない態様で表示する。この場合であっても、好適に個人情報が覗き見されるのを防止することができる。
【００６４】
なお、表示制御手段１４２は、図１３に示す表示例に代えて、個人情報入力画面で既に入力がなされた入力欄４２、４３のみを、入力内容が視認できない態様で塗りつぶして表示し、入力がなされていない入力欄４４については図１０と同様に表示してもよい。
【００６５】
（変形例２）
図１２のフローチャートでは、表示制御手段１４２は、ステップＳ１０１で初期画面から個人情報入力画面に切り替えた後、ステップＳ１０６で傾き角θが角度θｔｈ以上の場合に覗き見防止画面を表示した。
【００６６】
これに代えて、例えば、表示制御手段１４２は、初期画面から個人情報入力画面に切り替える直前に、傾き角θが角度θｔｈ以上であると判定した場合には、個人情報入力画面を表示することなく覗き見防止画面を表示してもよい。
【００６７】
他の例では、表示制御手段１４２は、入力欄４２〜４４に入力がなされていない場合には、傾き角θが角度θｔｈ以上であるか否かに関わらず、引き続き個人情報入力画面を表示してもよい。この場合、表示制御手段１４２は、入力欄４２〜４４への入力を検知した際に、傾き角θが角度θｔｈ以上であるか否かの判定を傾き判定手段１４１が行い、傾き角θが角度θｔｈ以上である場合に覗き見防止画面をディスプレイ１０１に表示させる。
【００６８】
これらの場合であっても、表示制御手段１４２は、好適に、個人情報入力画面での入力内容が覗き見されるのを抑制することができる。
【００６９】
（変形例３）
端末装置１の記憶手段１３は、初期画面、個人情報入力画面、及び覗き見防止画面の各表示情報を予め記憶してもよい。この場合、端末装置１の表示制御手段１４２は、サーバ６と通信を行うことなく、記憶手段１３が記憶する表示情報に基づき、上述の初期画面、個人情報入力画面、及び覗き見防止画面を表示手段１６に表示させる。
【００７０】
（変形例４）
端末装置１は、端末用スタンド２によって保持されたタブレット型端末であったが、本発明が適用可能な構成は、これに限定されない。これに代えて、端末装置１は、スマートフォンやあるいは、キーボードなどが設けられた本体部に対してディスプレイ部が開閉可能に回動するノート型パソコンであってもよい。この場合、端末装置１は、ディスプレイ部に傾きセンサ１０４を備える。そして、端末装置１は、ディスプレイ部の水平面に対する傾きが角度θｔｈ未満の場合にのみ個人情報入力画面を表示する。この態様であっても、端末装置１は、好適に、入力者以外の他者に個人情報が覗き見されるのを抑制することができる。また、端末装置１とサーバ６間の通信は、ＬＡＮだけでなく、携帯電話通信網やインターネットが介在していてもよい。
【００７１】
（変形例５）
端末装置１への入力操作は、タッチパネル１０５への操作に限定されず、端末装置１がマウスを有する場合には、マウスのクリック操作であってもよい。
【００７２】
（変形例６）
端末装置１は、傾き角θが角度θｔｈ以上の場合に、個人情報入力画面の表示を制限した。これに代えて、端末装置１は、電子書籍や動画などの種々の電子コンテンツを表示する場合にも、傾き角θに基づき、表示内容の切り替えを行ってもよい。この場合、端末装置１は、傾き角θが角度θｔｈ未満の場合にのみ電子コンテンツを表示し、傾き角が角度θｔｈ未満の場合には覗き見防止画面を表示する。
【００７３】
このように、傾き角θが角度θｔｈ以上の場合に、電子コンテンツを非表示にすることで、端末装置１は、個人情報に限らず、著作権法上他人に見せるのが好ましくないコンテンツについて、他人に覗き見されるのを好適に抑制することができる。
【００７４】
（変形例７）
端末装置１が傾き角θが角度θｔｈ以上か否かを判定する場合に代えて、傾き角θが角度θｔｈ以上か否かをサーバ６が判定し、その判定結果に基づき、個人情報入力画面と覗き見防止画面とを切り替えるように、サーバ６が端末装置１を制御してもよい。
【００７５】
この場合、端末装置１の処理手段１４は、傾きセンサ１０４が検出した傾き角θを示す情報を通信手段１２によりサーバ６へ送信する。そして、サーバ６の送信制御手段６４１は、受信した情報が示す傾き角θが角度θｔｈ以上の場合には、覗き見防止画面を表示すべき旨の指示信号を端末装置１へ送信する。このとき、送信制御手段６４１は、覗き見防止画面の表示情報が未送信の場合には当該表示情報を端末装置１へ送信する。この場合、端末装置１の表示制御手段１４２は、サーバ６から受信した指示信号等に基づき、ディスプレイ１０１に覗き見防止画面を表示させる。
【００７６】
一方、送信制御手段６４１は、傾き角θが角度θｔｈ未満の場合には、個人情報入力画面を表示すべき旨の指示信号を端末装置１へ送信する。このとき、送信制御手段６４１は、個人情報入力画面の表示情報が未送信の場合には当該表示情報を端末装置１へ送信する。この場合、端末装置１の表示制御手段１４２は、サーバ６から受信した指示信号等に基づき、ディスプレイ１０１に個人情報入力画面を表示させる。さらに、表示制御手段１４２は、対応する入力情報が記憶手段１３に記憶されていた場合には、当該入力情報を反映した個人情報入力画面をディスプレイ１０１に表示させる。
【００７７】
この態様であっても、申込システムは、入力者の入力情報が他者に覗き見されるのを好適に抑制することができる。
【００７８】
＜第２実施形態＞
次に、第２実施形態について説明する。図１４は、第２実施形態に係る申込みシステムの概略構成である。第２実施形態に係る申込みシステムは、無線通信が可能な端末装置１Ａと、端末用スタンド２が載置された近接無線アンテナシート３と、通信変換器４とを有する。そして、第２実施形態に係る申込みシステムは、端末装置１Ａが近接無線アンテナシート３の通信可能範囲内に存在するという条件がさらに満たされた場合にのみ個人情報入力画面を表示する点で第１実施形態と異なる。第２実施形態と第１実施形態とで同様の点は、適宜その説明を省略する。
【００７９】
［近接無線アンテナシート及び通信変換器］
近接無線アンテナシート（通信シート）３は、所謂二次元通信が可能なシートであって、端末装置１Ａが近接した場合に、端末装置１Ａと通信変換器４との間で相互に送出される無線信号を他方に伝達させる。近接無線アンテナシート３の表面及びその近傍には電磁波（エバネッセント波）が滲み出ている。そして、近接無線アンテナシート３は、上から順にメッシュ層と、誘電層と、シールド層とを有し、メッシュ層のメッシュ間隔と誘電層の比誘電率によって出力される電磁波の量が制御される。本実施形態において出力される電磁波の量は、端末装置１Ａが載置された状態によって端末装置１Ａによる無線通信の可否が切り替わる量に設定される。そして、近接無線アンテナシート３は、上述の電磁波を介して端末装置１Ａ及び通信変換器４と無線信号の通信を行う。
【００８０】
通信変換器４は、ＬＡＮケーブル８Ａ、８Ｂ及びネットワークハブ７を介してサーバ６と同一のＬＡＮにおいて接続する。また、通信変換器４は、二次元通信において用いられるカプラとして機能し、無線信号を近接無線アンテナシート３内に供給する。さらに、通信変換器４は、アクセスポイント又は無線ＬＡＮルータとして機能し、端末装置１Ａが接続する無線ＬＡＮの信号と、サーバ６及びネットワークハブ７が接続する有線ＬＡＮの信号とを相互変換する。
【００８１】
［端末装置］
次に、第２実施形態に係る端末装置１Ａについて説明する。図１５は、端末装置１Ａの正面図及び側面図を示す。図１５に示すように、端末装置１Ａは、無線通信アンテナ１０３を有する点で、第１実施形態に係る端末装置１と異なる。
【００８２】
無線通信アンテナ１０３は、無線通信が可能なアンテナであって、近接無線アンテナシート３から滲みだした電磁波（エバネッセント波）に基づき無線信号を受信する。無線通信アンテナ１０３は、図１５の端末装置１Ａの側面図に示すように、端末装置１Ａが端末用スタンド２に載置された状態で、端末装置１Ａの上部に位置する部分に配置される。
【００８３】
図１６は、端末装置１Ａの機能ブロック図である。図１６に示す端末装置１Ａは、通信手段１２Ａが無線通信アンテナ１０３を有し、処理手段１４Ａが通信可能判定手段１４３を有する点で、図３に示す端末装置１の通信手段１２及び処理手段１４と異なる。
【００８４】
処理手段１４Ａの通信可能判定手段１４３は、無線通信アンテナ１０３が近接無線アンテナシート３を介した無線通信が可能な範囲（単に「通信可能範囲ＲＣ」とも呼ぶ。）内に存在するか、又は、通信可能範囲ＲＣ外に存在するかを判定する。この場合、通信可能判定手段１４３は、無線通信を行うのに十分な電磁波が近接無線アンテナシート３から届いているか否かを判定することで、無線通信アンテナ１０３が通信可能範囲ＲＣ内か通信可能範囲ＲＣ外かを判定する。ここで、無線通信アンテナ１０３が通信可能範囲ＲＣ内か否かは、端末装置１Ａが端末用スタンド２に保持された角度である傾き角θ等によって切り替わる。これについては、［傾き角に基づく通信可否の変化］のセクションで詳しく説明する。そして、通信可能判定手段１４３は、無線通信アンテナ１０３が通信可能範囲ＲＣ内か否かの判定結果を表示制御手段１４２に供給する。
【００８５】
表示制御手段１４２は、無線通信アンテナ１０３が通信可能範囲ＲＣ内の場合に限り、サーバ６から受信した表示情報に基づき、ディスプレイ１０１に個人情報入力画面を表示させる。このディスプレイ１０１の表示制御については、［表示画面の切替］のセクションで詳しく説明する。
【００８６】
［傾き角に基づく通信可否の変化］
次に、傾き角θの変化に基づく無線通信アンテナ１０３の通信可否の変化について、図１７及び図１８を参照して説明する。概略的には、ディスプレイ１０１が他者に覗き見されやすい傾き角θでは、無線通信アンテナ１０３が通信可能範囲ＲＣ外となり、ディスプレイ１０１が他者に覗き見されにくい傾き角θでは、無線通信アンテナ１０３が通信可能範囲ＲＣ内となる。
【００８７】
図１７は、傾き角θを大きく設定した状態で端末装置１Ａを保持した端末用スタンド２を示す。図１８は、傾き角θを小さく設定した状態で端末装置１Ａを保持した端末用スタンド２を示す。図１７及び図１８では、通信可能範囲ＲＣが図示されている。
【００８８】
図１７及び図１８に示す通信可能範囲ＲＣは、近接無線アンテナシート３の近傍に形成され、傾き角θによって無線通信アンテナ１０３が通信可能範囲ＲＣ内になったり通信可能範囲ＲＣ外になったりする範囲に存在する。例えば、通信可能範囲ＲＣは、傾き角θが所定角度以上の場合に、無線通信アンテナ１０３が通信可能範囲ＲＣ外になるような範囲となっている。ここで、上述の所定角度は、好適には角度θｔｈと同等の値になるように設定される。具体的には、所定角度は、ディスプレイ１０１が入力者以外の者に覗き見されやすい状態では傾き角θが所定角度以上となり、ディスプレイ１０１が覗き見されにくい状態では傾き角θが所定角度未満となるように設定される。この場合、所定角度に関する上述の条件が満たされるように、近接無線アンテナシート３の出力調整による通信可能範囲ＲＣの調整、端末用スタンド２の設置位置の調整、及び端末装置１Ａが端末保持部２０に保持される高さの調整等が行われる。
【００８９】
図１７の例では、端末装置１Ａは、近接無線アンテナシート３に対して垂直に近い状態で保持され、入力者以外の者にディスプレイ１０１の表示画面が覗き見されやすい状態になっている。この場合、無線通信アンテナ１０３が通信可能範囲ＲＣの外に存在する。従って、この場合、端末装置１Ａの通信可能判定手段１４３は、通信に必要な十分な電磁波が無線通信アンテナ１０３に届いていないことから、無線通信アンテナ１０３が通信可能範囲ＲＣ外に存在すると判定する。また、この場合、傾き角θは角度θｔｈ以上になる。従って、端末装置１Ａの表示制御手段１４２は、覗き見防止画面をディスプレイ１０１に表示させる。
【００９０】
一方、図１８の例では、端末装置１Ａは、水平に近い状態で保持され、操作者以外の者がディスプレイ１０１の表示画面を覗き見しにくい状態になっている。この場合、無線通信アンテナ１０３が通信可能範囲ＲＣ内に存在する。この場合、端末装置１Ａの通信可能判定手段１４３は、通信に必要な十分な電磁波が無線通信アンテナ１０３に届いていることから、無線通信アンテナ１０３が通信可能範囲ＲＣ内に存在すると判定する。また、この場合、傾き角θは角度θｔｈ未満になる。従って、表示制御手段１４２は、個人情報入力画面をディスプレイ１０１に表示させる。
【００９１】
［表示画面の切替］
次に、表示制御手段１４２が実行するディスプレイ１０１の表示画面の切り替え制御について図１９を参照して説明する。
【００９２】
図１９は、無線通信アンテナ１０３の通信可否と傾き角θとに基づく個人情報入力画面の表示の可否を示すマップである。図１９に示すように、表示制御手段１４２は、無線通信アンテナ１０３が通信可能範囲ＲＣ内のときであって、かつ、傾き角θが角度θｔｈ未満のときに限り、個人情報入力画面をディスプレイ１０１に表示させる。このようにすることで、表示制御手段１４２は、入力者以外の者に個人情報入力画面の入力内容を覗き見されるのをより確実に抑制することができる。
【００９３】
また、個人情報入力画面又は覗き見防止画面を表示する際、表示制御手段１４２は、第１実施形態と同様、図１０に示す傾き小マーク４１又は図１１に示す傾き大マーク４７を、傾き角θが角度θｔｈ以上であるか否かに応じてディスプレイ１０１に表示させる。なお、表示制御手段１４２は、傾き小マーク４１及び傾き大マーク４７に代えて、又はこれに加えて、端末装置１Ａが通信可能範囲ＲＣ内の場合には、通信可能範囲ＲＣ内である旨のマーク（「圏内マーク」とも呼ぶ。）をディスプレイ１０１に表示させ、端末装置１Ａが通信可能範囲ＲＣ外の場合には、通信可能範囲ＲＣ外に存在する旨のマーク（「圏外マーク」とも呼ぶ。）をディスプレイ１０１に表示させてもよい。これにより、表示制御手段１４２は、端末装置１Ａが通信可能範囲ＲＣ内か通信可能範囲ＲＣ外かを好適にユーザに知らせることができる。
【００９４】
［処理フロー］
次に、第２実施形態において、端末装置１Ａが実行する処理フローについて説明する。図２０は、端末装置１Ａが実行する処理手順を示すフローチャートである。なお、ステップＳ２０１〜ステップＳ２０５の処理については、第１実施形態における図１２のフローチャートのステップＳ１０１〜ステップＳ１０５と同様であるため、その説明を省略する。
【００９５】
ステップＳ２０６では、傾き判定手段１４１は、傾き角θが角度θｔｈ以上であるか否か判定する（ステップＳ２０６）。そして、傾き角θが角度θｔｈ未満である場合（ステップＳ２０６；Ｎｏ）、通信可能判定手段１４３は、端末装置１Ａの無線通信アンテナ１０３が通信可能範囲ＲＣの外に存在するか否か判定する（ステップＳ２１０）。具体的には、通信可能判定手段１４３は、通信を行うのに十分な電磁波が近接無線アンテナシート３から無線通信アンテナ１０３に届いているか否か判定する。そして、無線通信アンテナ１０３が通信可能範囲ＲＣ内に存在する場合（ステップＳ２１０；Ｎｏ）、表示制御手段１４２は、今までに入力された入力情報を反映した個人情報入力画面を引き続き表示し、入力欄４２〜４４への入力を受け付ける（ステップＳ２１１）。
【００９６】
一方、傾き角θが角度θｔｈ以上である場合（ステップＳ２０６；Ｙｅｓ）、又は、無線通信アンテナ１０３が通信可能範囲ＲＣ外に存在する場合（ステップＳ２１０；Ｙｅｓ）、表示制御手段１４２は、図１１に示す覗き見防止画面をディスプレイ１０１に表示させる（ステップＳ２０７）。これにより、表示制御手段１４２は、個人情報入力画面での入力内容が覗き見されることを抑制すると共に、端末装置１Ａの傾き角θを変えるように促す。
【００９７】
次に、表示制御手段１４２は、申込やめるボタン４８が選択されたか否か判定する（ステップＳ２０８）。そして、申込やめるボタン４８が選択された場合（ステップＳ２０８；Ｙｅｓ）、処理手段１４は、無線通信アンテナ１０３が通信可能範囲ＲＣ内のときに申込みがキャンセルされた旨をサーバ６へ通知し、キャンセルされた申込みに関する入力情報を記憶手段１３から削除する（ステップＳ２０９）。この場合、サーバ６の記憶制御手段６４２は、キャンセルされた申込みについて、端末装置１Ａから受信している入力情報が既に存在する場合には、当該入力情報を記憶手段６３から削除する。
【００９８】
一方、申込やめるボタン４８が選択されていない場合（ステップＳ２０８；Ｎｏ）、通信可能判定手段１４３は、傾き角θが角度θｔｈ以上であるか否か判定する（ステップＳ２０６）。そして、傾き角θが角度θｔｈ未満となった場合（ステップＳ２０６；Ｎｏ）、通信可能判定手段１４３は、端末装置１Ａの無線通信アンテナ１０３が通信可能範囲ＲＣの外に存在するか否か判定する（ステップＳ２１０）。そして、端末装置１Ａの無線通信アンテナ１０３が通信可能範囲ＲＣ内の場合（ステップＳ２１０；Ｎｏ）、表示制御手段１４２は、記憶手段１３に記憶させた入力情報を反映した個人情報入力画面を表示し、入力欄４２〜４４への入力を受け付ける（ステップＳ２１１）。即ち、表示制御手段１４２は、記憶手段１３が記憶している入力情報に基づき、ステップＳ１０７で覗き見防止画面に切り替える直前の個人情報入力画面を再表示する。この場合、ユーザは、覗き見防止画面に切り替わる前に記入した内容を再度個人情報入力画面で入力する必要がない。
【００９９】
［第２実施形態のコンテンツ再生システムによる作用効果］
第２実施形態の申込システムによれば、端末装置１Ａは、近接無線アンテナシート３上で端末用スタンド２に保持され、近接無線アンテナシート３の通信可能範囲ＲＣ外では、個人情報入力画面を表示せずに覗き見防止画面を表示する。これにより、端末装置１Ａは、他者に見られる可能性がある位置で入力情報を表示するのをより確実に抑制し、入力者の情報を好適に保護することができる。その他、第２実施形態の申込システムは、第１実施形態と同様の機能を実現することができる。
【０１００】
［変形例］
次に、第２実施形態の変形例について説明する。第２実施形態では、第１実施形態の変形例１〜７に加え、以下の変形例８を適用してもよい。
【０１０１】
（変形例８）
サーバ６は、端末装置１Ａが通信可能範囲ＲＣ外になった際に表示させる覗き見防止画面の表示情報を、端末装置１Ａが通信可能範囲ＲＣ内に存在する場合に予め端末装置１Ａに送信してもよい。これにより、サーバ６は、端末装置１Ａが通信可能範囲ＲＣ外におり、覗き見されやすい状態の場合に、ユーザに通知させたい広告などを好適に表示する。
【０１０２】
図２１は、端末装置１Ａが通信可能範囲ＲＣ外に存在するときに覗き見防止画面が表示された端末装置１Ａの正面図である。図２１に示す覗き見防止画面では、端末装置１Ａが通信可能範囲ＲＣ外に存在することを示す圏外マーク４９に加え、ポイントカードに関する広告である入会による特典情報が表示されている。この場合、端末装置１Ａは、通信可能範囲ＲＣ内に存在する際に、予め覗き見防止画面の表示情報をサーバ６から受信しておく。例えば、端末装置１Ａは、初期画面の表示情報と共に図２１に示す覗き見防止画面の表示情報をサーバ６から受信してもよく、初期画面から個人情報入力画面に遷移した際に当該覗き見防止画面の表示情報をサーバ６から受信してもよい。この場合、サーバ６の記憶手段６３は、予め図２１に示す覗き見防止画面の表示情報を記憶しておき、送信制御手段６４１は、端末装置１Ａの要求に応じて、当該覗き見防止画面の表示情報を通信手段６２に送信させる。
【０１０３】
このようにすることで、サーバ６は、端末装置１Ａが覗き見されやすい状態の場合に、端末装置１Ａにポイントカードの広告を積極的に表示させ、操作者及び操作者の背後の通行人等にポイントカードの入会を促すことができる。
【符号の説明】
【０１０４】
１、１Ａ…端末装置
２…端末用スタンド
３…近接無線アンテナシート
４…通信変換器
６…サーバ
７…ネットワークハブ
１０１…ディスプレイ
１０２…電源スイッチ
１０３…無線通信アンテナ
１０４…傾きセンサ
【図１】
2014033338.tif 000003
【図２】
2014033338.tif 000004
【図３】
2014033338.tif 000005
【図４】
2014033338.tif 000006
【図５】
2014033338.tif 000007
【図６】
2014033338.tif 000008
【図７】
2014033338.tif 000009
【図８】
2014033338.tif 000010
【図９】
2014033338.tif 000011
【図１０】
2014033338.tif 000012
【図１１】
2014033338.tif 000013
【図１２】
2014033338.tif 000014
【図１３】
2014033338.tif 000015
【図１４】
2014033338.tif 000016
【図１５】
2014033338.tif 000017
【図１６】
2014033338.tif 000018
【図１７】
2014033338.tif 000019
【図１８】
2014033338.tif 000020
【図１９】
2014033338.tif 000021
【図２０】
2014033338.tif 000022
【図２１】
2014033338.tif 000023